(57)【要約】【課題】シャッタスピードを高速秒時にするためにスリット幅を狭くする場合の先幕と後幕の幕速のバラツキによる幕閉じを抑制可能なシャッタ駆動装置を提供すること。【解決手段】開口部が形成されるシャッタ地板と、開口部を開閉する第１のシャッタ羽根と、開口部を開閉する第２のシャッタ羽根と、を備え、第１のシャッタ羽根が開口部を閉鎖し、第２のシャッタ羽根が開口部を開放する第１の状態と、第１のシャッタ羽根が開口部を開放し、第２のシャッタ羽根が開口部を閉鎖する第２の状態と、の間を変化するシャッタ装置であって、シャッタ装置が第１の状態から第２の状態に変化する間、第１および第２のシャッタ羽根によって形成されるスリットの幅が所定量より小さくなることを制限する制限部材と、シャッタ装置が第２の状態から第１の状態に変化する前に、制限部材によるスリットの幅の制限を解除する解除部材と、を有することを特徴とする。【選択図】図２
2017026699.tif 000002
【特許請求の範囲】
【請求項１】
開口部が形成されるシャッタ地板と、前記開口部を開閉する第１のシャッタ羽根と、前記開口部を開閉する第２のシャッタ羽根と、を備え、前記第１のシャッタ羽根が前記開口部を閉鎖し、第２のシャッタ羽根が前記開口部を開放する第１の状態と、第１のシャッタ羽根が前記開口部を開放し、第２のシャッタ羽根が前記開口部を閉鎖する第２の状態と、の間を変化するシャッタ装置であって、
前記シャッタ装置が前記第１の状態から前記第２の状態に変化する間、前記第１および第２のシャッタ羽根によって形成されるスリットの幅が所定量より小さくなることを制限する制限部材と、
前記シャッタ装置が前記第２の状態から前記第１の状態に変化する前に、前記制限部材による前記スリットの幅の制限を解除する解除部材と、を有することを特徴とするシャッタ装置。
【請求項２】
開口部が形成されるシャッタ地板と、前記開口部を開閉する第１のシャッタ羽根と、前記開口部を開閉する第２のシャッタ羽根と、を備え、前記第１のシャッタ羽根が前記開口部を閉鎖し、第２のシャッタ羽根が前記開口部を開放する第１の状態と、第１のシャッタ羽根が前記開口部を開放し、第２のシャッタ羽根が前記開口部を閉鎖する第２の状態と、の間を変化するシャッタ装置であって、
前記第１および第２のシャッタ羽根のいずれか一方のシャッタ羽根に取り付けられ、前記シャッタ装置が前記第１の状態から前記第２の状態に変化する間であって、前記第１および第２のシャッタ羽根によって形成されるスリットの幅が所定量である場合に、他方のシャッタ羽根に当接することで、前記スリットの幅が前記所定量よりも小さくなることを制限する制限部材と、
前記シャッタ装置が前記第２の状態から前記第１の状態に変化する前に、前記一方のシャッタ羽根を前記開口部に直交する方向へ押圧することで、前記制限部材による前記スリットの幅の制限を解除する解除部材と、を有することを特徴とするシャッタ装置。
【請求項３】
前記シャッタ地板と羽根室を形成するカバー板と、
前記シャッタ地板と前記カバー板との間に配置される仕切り板と、を更に有し、
前記解除部材は、前記制限部材が前記第１のシャッタ羽根に取り付けられている場合、前記カバー板に形成され、前記制限部材が前記第２のシャッタ羽根に取り付けられている場合、前記シャッタ地板に形成されていることを特徴とする請求項２に記載のシャッタ装置。
【請求項４】
前記シャッタ地板と前記カバー板のいずれか一方には、前記一方のシャッタ羽根が前記解除部材に押圧された際に退避可能な形状が形成されていることを特徴とする請求項３に記載のシャッタ装置。
【請求項５】
前記制限部材は、前記一方のシャッタ羽根の移動中心とは反対側に取り付けられ、
前記仕切り板には、前記シャッタ装置が変化している間、前記制限部材と接触しないように、前記制限部材の走行軌跡に沿う形状が形成されていることを特徴とする請求項３または４に記載のシャッタ装置。
【請求項６】
前記解除部材は、前記一方のシャッタ羽根を、前記制限部材よりも前記移動中心から離れた位置で押圧し、
前記一方のシャッタ羽根のうち、前記解除部材が押圧する羽根の長さは、他の羽根の長さ、および前記他方のシャッタ羽根の長さに比べて長いことを特徴とする請求項５に記載のシャッタ装置。
【請求項７】
開口部が形成されるシャッタ地板と、前記開口部を開閉する第１のシャッタ羽根と、前記開口部を開閉する第２のシャッタ羽根と、を備え、前記第１のシャッタ羽根が前記開口部を閉鎖し、第２のシャッタ羽根が前記開口部を開放する第１の状態と、第１のシャッタ羽根が前記開口部を開放し、第２のシャッタ羽根が前記開口部を閉鎖する第２の状態と、の間を変化するシャッタ装置であって、
前記シャッタ装置が前記第１の状態から前記第２の状態に変化する間であって、前記第1および第２のシャッタ羽根によって形成されるスリットの幅が所定量である場合に、前記第２のシャッタ羽根に形成された第１の当接領域に当接することで、前記スリットの幅が前記所定量よりも小さくなることを制限し、前記シャッタ装置が前記第２の状態から前記第１の状態に変化する前に、前記第２のシャッタ羽根に形成された第２の当接領域に当接することで、前記スリットを幕閉じ状態にする調整部材と、を有することを特徴とするシャッタ装置。
【請求項８】
前記シャッタ地板と羽根室を形成するカバー板と、
前記シャッタ地板に設けられた軸に取り付けられ、前記調整部材を前記第１または第２の当接領域に当接するように付勢する付勢手段を更に有し、
前記調整部材は、前記第１および第２の当接領域に当接する第１の当接部と、前記当接部とは異なる面に設けられた第２の当接部と、前記軸を挿通させる長孔と、を備え、
前記カバー板は、前記第２の当接部の移動を制限する制限部を備え、
前記制限部が前記第２の当接部の移動を制限することで、前記軸が前記長孔を移動し、前記第１の当接部は当接する領域を変更することを特徴とする請求項７に記載のシャッタ装置。
【請求項９】
前記調整部材は、前記第１のシャッタ羽根に取り付けられ、前記第１のシャッタ羽根の移動に伴い、回動することを特徴とする請求項７または８に記載のシャッタ装置。
【発明の詳細な説明】
【技術分野】
【０００１】
本発明は、カメラのシャッタ装置に関し、特に先幕と後幕によりスリットを形成することで露光を行うことが可能なシャッタ装置に関する。
【背景技術】
【０００２】
一眼レフカメラ等には、先幕ユニットと後幕ユニットを時間的な遅れを持たせて作動させ、先幕と後幕によりスリットを形成し、露光量を制御できるように構成されたフォーカルプレーンシャッタが広く用いられている。これらのフォーカルプレーンシャッタでは、先幕と後幕の幕速変化が起こると露光量に影響を与えてしまう。すなわち、後幕の幕速が先幕の幕速より速くなると、スリット幅が狭くなるので露光量が減少し、先幕の幕速が後幕の幕速より速くなると、スリット幅が広くなるので露光量が増加する。後幕の幕速が先幕の幕速に比べてさらに速くなると、スリットが形成されず露光が行われない状態となる、いわゆる幕閉じと呼ばれる現象が発生する。
【０００３】
幕閉じの抑制のために、例えば、特許文献１のフォーカルプレーンシャッタでは、後幕駆動部材の回転軸に対する摺接面積を先幕駆動部材の回転軸に対する摺接面積よりも大きく形成している。これにより、摺接面に形成されている油膜の潤滑性能が低温環境下において劣化した場合、先幕駆動部材の摺接面に形成される油膜面積は後幕駆動部材の摺接面に比べて小さくなるので、先幕駆動部材の作動を開始しやすくなる。結果として、低温環境下での幕閉じの発生を抑制する。
【０００４】
また、特許文献２のフォーカルプレーンシャッタでは、同一材料で形成される先幕調整部材と後幕調整部材を保持接触面積に差をつけて取り付ける。そうすることで、部品の経時変化による幕速変化が生じた場合でも先幕の遅延量を後幕の遅延量より小さくすることができ、幕閉じの発生を抑制する。
【先行技術文献】
【特許文献】
【０００５】
【特許文献１】特許第４０１７７５０号公報
【特許文献２】特許第５４５５３４１号公報
【発明の概要】
【発明が解決しようとする課題】
【０００６】
しかしながら、特許文献１および特許文献２に開示された従来技術では、シャッタスピードを高速秒時にするためにスリット幅を狭くする場合の先幕と後幕の幕速のバラツキによって生じる幕閉じを抑制することができない。
【０００７】
このような課題に鑑みて、本発明は、シャッタスピードを高速秒時にするためにスリット幅を狭くする場合の先幕と後幕の幕速のバラツキによる幕閉じを抑制可能なシャッタ装置を提供することを目的とする。
【課題を解決するための手段】
【０００８】
本発明の一側面としてのシャッタ装置は、開口部が形成されるシャッタ地板と、前記開口部を開閉する第１のシャッタ羽根と、前記開口部を開閉する第２のシャッタ羽根と、を備え、前記第１のシャッタ羽根が前記開口部を閉鎖し、第２のシャッタ羽根が前記開口部を開放する第１の状態と、第１のシャッタ羽根が前記開口部を開放し、第２のシャッタ羽根が前記開口部を閉鎖する第２の状態と、の間を変化するシャッタ装置であって、前記シャッタ装置が前記第１の状態から前記第２の状態に変化する間、前記第１および第２のシャッタ羽根によって形成されるスリットの幅が所定量より小さくなることを制限する制限部材と、前記シャッタ装置が前記第２の状態から前記第１の状態に変化する前に、前記制限部材による前記スリットの幅の制限を解除する解除部材と、を有することを特徴とする。
【０００９】
また、本発明の他の側面としてのシャッタ装置は、開口部が形成されるシャッタ地板と、前記開口部を開閉する第１のシャッタ羽根と、前記開口部を開閉する第２のシャッタ羽根と、を備え、前記第１のシャッタ羽根が前記開口部を閉鎖し、第２のシャッタ羽根が前記開口部を開放する第１の状態と、第１のシャッタ羽根が前記開口部を開放し、第２のシャッタ羽根が前記開口部を閉鎖する第２の状態と、の間を変化するシャッタ装置であって、前記第１および第２のシャッタ羽根のいずれか一方のシャッタ羽根に取り付けられ、前記シャッタ装置が前記第１の状態から前記第２の状態に変化する間であって、前記第１および第２のシャッタ羽根によって形成されるスリットの幅が所定量である場合に、他方のシャッタ羽根に当接することで、前記スリットの幅が前記所定量よりも小さくなることを制限する制限部材と、前記シャッタ装置が前記第２の状態から前記第１の状態に変化する前に、前記一方のシャッタ羽根を前記開口部に直交する方向へ押圧することで、前記制限部材による前記スリットの幅の制限を解除する解除部材と、を有することを特徴とする。
【００１０】
また、本発明の他の側面としてのシャッタ装置は、開口部が形成されるシャッタ地板と、前記開口部を開閉する第１のシャッタ羽根と、前記開口部を開閉する第２のシャッタ羽根と、を備え、前記第１のシャッタ羽根が前記開口部を閉鎖し、第２のシャッタ羽根が前記開口部を開放する第１の状態と、第１のシャッタ羽根が前記開口部を開放し、第２のシャッタ羽根が前記開口部を閉鎖する第２の状態と、の間を変化するシャッタ装置であって、前記シャッタ装置が前記第１の状態から前記第２の状態に変化する間であって、前記第1および第２のシャッタ羽根によって形成されるスリットの幅が所定量である場合に、前記第２のシャッタ羽根に形成された第１の当接領域に当接することで、前記スリットの幅が前記所定量よりも小さくなることを制限し、前記シャッタ装置が前記第２の状態から前記第１の状態に変化する前に、前記第２のシャッタ羽根に形成された第２の当接領域に当接することで、前記スリットを幕閉じ状態にする調整部材と、を有することを特徴とする。
【発明の効果】
【００１１】
本発明によれば、シャッタスピードを高速秒時にするためにスリット幅を狭くする場合の先幕と後幕の幕速のバラツキによる幕閉じを抑制可能なシャッタ装置を提供することができる。
【図面の簡単な説明】
【００１２】
【図１】本発明の実施形態に係るシャッタ装置を搭載したデジタル一眼レフカメラの構成を示す図である。
【図２】実施例１のシャッタ装置の分解斜視図である。
【図３】実施例１のシャッタ装置の本走行でのスリット形成中の状態を示す図である。
【図４】図３のＡ−Ａ線に沿う要部断面図である。
【図５】実施例１のシャッタ装置の本走行完了位置の状態を示す図である。
【図６】図５のＢ‐Ｂ線に沿う要部断面図である。
【図７】実施例２のシャッタ装置の本走行でのスリット形成中の状態を示す図である。
【図８】実施例２のシャッタ装置の先幕スリット形成羽根がシャッタ開口の下端を通過する時点の状態を示す図である。
【図９】実施例２のシャッタ装置の本走行完了位置の状態を示す図である。
【図１０】実施例２のシャッタ装置の戻し走行完了位置の状態を示す図である。
【発明を実施するための形態】
【００１３】
以下、本発明の実施例について、図面を参照しながら詳細に説明する。各図において、同一の部材については同一の参照番号を付し、重複する説明は省略する。
【００１４】
図１は、本発明の実施形態に係るフォーカルプレーンシャッタ（以下、シャッタ装置という）５０を搭載したデジタル一眼レフカメラ（撮像装置）１００の構成を示す図である。
【００１５】
カメラ本体２０には、交換レンズ２１が取り外し可能に装着される。交換レンズ２１内には、撮影光学系２２が収容されている。撮影光学系２２を通過した被写体からの光は、カメラ本体２０内におけるダウン位置に配置されたクイックリターンミラー２３によって反射され、フォーカシングスクリーン２４、ペンタプリズム２５、および接眼レンズ２６を介して撮影者の眼に導かれる。これにより、撮影者は、被写体を観察することができる。
【００１６】
カメラ本体２０に設けられたレリーズスイッチ（不図示）が撮影者によって操作されると、クイックリターンミラー２３がダウン位置から図中に二点鎖線で示したアップ位置に回転して光路外に退避する。また、シャッタ装置５０において、先幕が走行開始位置である閉位置（シャッタ開口部を閉鎖する位置）から開位置（シャッタ開口部を開放する位置）に走行し、設定されたシャッタ秒時が経過した後、後幕が走行開始位置である開位置から閉位置に走行する。これにより、先幕と後幕との間にスリットが形成される。シャッタ装置５０は、制御手段２７によって動作を制御される。
【００１７】
撮影光学系２２からの光は該スリットを通過し、赤外カットフィルタ等の光学フィルタ２８を透過して、ＣＣＤセンサまたはＣＭＯＳセンサ等により構成される撮像素子２９に到達する。こうしてシャッタ装置５０によって、撮像面（撮像素子２９）の露光が制御される。
【００１８】
撮像素子２９に到達した光によって形成された被写体像は、撮像素子２９によって光電変換され、撮像素子２９からの出力信号に基づいて、撮影画像が生成される。
【００１９】
撮影が完了すると、シャッタ装置５０は、先幕を開位置から閉位置に戻し、後幕を閉位置から開位置に戻す。
【実施例１】
【００２０】
まず、図２を参照して、本実施例のシャッタ装置５０ａの駆動方法について説明する。図２は、シャッタ装置５０ａの分解斜視図であり、図２（ａ）は駆動部側から見た図、図２（ｂ）は羽根室側から見た図である。
【００２１】
シャッタ地板９には、先幕カムギヤ軸９ａ、後幕カムギヤ軸９ｂ、先幕駆動レバー軸９ｃ、後幕駆動レバー軸９ｄ、先幕メインアーム軸９ｅ、後幕メインアーム軸９ｆ、先幕サブアーム軸９ｉ、および後幕サブアーム軸９ｊが設けられている。
【００２２】
先幕カムギヤ軸９ａには、先幕カムギヤ３が回転可能に支持されている。先幕カムギヤ３は、先幕モータ１の駆動力と先幕アシストバネ７の力を受けて回転する。また、先幕カムギヤ３には溝カム３ａが設けられ、先幕駆動レバー軸９ｃに回転可能に支持された先幕駆動レバー５のダボ部５ａが溝カム３ａと摺動可能に嵌合している。
【００２３】
先幕ユニット（第１のシャッタ羽根）１２は、先幕メインアーム軸９ｅ、および先幕サブアーム軸９ｉに回転可能に支持され、先幕駆動レバー５のダボ部５ｂと嵌合している。先幕カムギヤ３が回転することで、先幕駆動レバー５が溝カム３ａにより作動し、リンク機構により先幕ユニット１２がシャッタ開口部９ｈを開閉させる。
【００２４】
後幕カムギヤ軸９ｂには、後幕カムギヤ４が回転可能に支持されている。後幕カムギヤ４は、後幕モータ２の駆動力と後幕アシストバネ８の力を受けて回転する。また、後幕カムギヤ４には溝カム４ａが設けられ、後幕駆動レバー軸９ｄに回転可能に支持された後幕駆動レバー６のダボ部６ａは溝カム４ａと摺動可能に嵌合している。
【００２５】
後幕ユニット（第２のシャッタ羽根）１３は、後幕メインアーム軸９ｆ、および後幕サブアーム軸９ｊに回転可能に支持され、後幕駆動レバー６のダボ部６ｂと嵌合している。後幕カムギヤ４が回転することで、後幕駆動レバー６が溝カム４ａにより作動し、リンク機構により後幕ユニット１３がシャッタ開口部９ｈを開閉させる。
【００２６】
本実施例では、制御手段２７が先幕モータ１および後幕モータ２を個別に制御することで、先幕スリット形成羽根１２ａおよび後幕スリット形成羽根１３ａによりシャッタ秒時に適したスリットが形成される。
【００２７】
次に、図３，４を参照して、幕閉じを抑制する方法について説明する。図３は、シャッタ装置５０ａの本走行でのスリット形成中の状態を示す図である。簡単のため、カバー板１１は省略されている。図４は、図３のＡ‐Ａ線に沿う要部断面図である。簡単のため、シャッタ地板９、カバー板１１、先幕スリット形成羽根１２ａ、後幕スリット形成羽根１３ａ、幕閉じ抑制部材（制限部材）１４以外の部品を省略している。ここで、本走行とは、先幕ユニット１２が閉位置から開位置に、後幕ユニット１３が開位置から閉位置に移動する走行である。
【００２８】
後幕スリット形成羽根１３ａには、シャッタ開口部９ｈの外側であって、後幕ユニット１３のリンク機構の作動を妨げない位置、すなわち、後幕ユニット１３の移動中心の反対側に、幕閉じ抑制部材１４が固定されている。本実施例では、後幕スリット形成羽根１３ａをＰＥＴ（ＰｏｌｙＥｔｈｙｌｅｎｅ  Ｔｅｒｅｐｈｔｈａｌａｔｅ）シート、幕閉じ抑制部材１４をレーザー光透過樹脂で作製している。そのため、幕閉じ抑制部材１４をレーザー溶着により後幕スリット形成羽根１３ａに強固に固定できる。仕切り板１０には、幕閉じ抑制部材１４と干渉しないように幕閉じ抑制部材１４の走行軌跡に沿った形状の溝１０ａが形成されている。幕速がスリット幅を所定量より狭くするように変化した場合、幕閉じ抑制部材１４が先幕スリット形成羽根１２ａに当接する。幕閉じ抑制部材１４が先幕スリット形成羽根１２ａに当接することで、寸法により決められた最小限のスリット幅が保障され、幕閉じが発生することはない。このようにスリット幅が所定量より狭くならない状態のことを本実施例では干渉状態という。
【００２９】
次に、図５，６を参照して、本走行完了時における幕閉じ抑制部材１４と先幕スリット形成羽根１２ａの干渉状態の解除方法について説明する。図５は、シャッタ装置５０ａの本走行完了位置の状態を示す図である。図６は、図５のＢ‐Ｂ線に沿う要部断面図である。簡単のため、シャッタ地板９、カバー板１１、先幕スリット形成羽根１２ａ、後幕スリット形成羽根１３ａ、幕閉じ抑制部材１４以外の部品を省略している。
【００３０】
まず、戻し走行について説明する。戻し走行とは、本走行完了後、先幕ユニット１２が開位置から閉位置に、後幕ユニット１３が閉位置から開位置に移動する走行である。デジタルカメラでは通常、シャッタ装置５０ａにより露光を行った後、撮像素子が読込みを行っている間は撮像素子に露光しないようにシャッタ開口部を遮蔽しておく必要がある。しかしながら、幕閉じ抑制部材１４と先幕スリット形成羽根１２ａが干渉状態のまま戻し走行を行った場合、スリットを形成したまま走行するため、読込み中の撮像素子２９が露光してしまう。この場合、撮像素子２９が露光しないようにするためには、撮像素子２９の読込みが終わるまで先幕ユニット１２および後幕ユニット１３を本走行完了の位置で待機させておく必要がある。そうすると、コマ速を速くすることが困難となる。そこで、本実施例では、戻し走行ではあえて幕閉じ状態にすることでスリットを形成せずにシャッタ開口部９ｈを遮蔽した状態で先幕ユニット１２および後幕ユニット１３を走行させる。
【００３１】
次に、本実施例の戻し走行について説明する。カバー板１１には、凸部（解除部材）１１ａが設けられている。凸部１１ａは、後幕スリット形成羽根１３ａの先端を光軸方向（シャッタ開口部９ｈに直交する方向）において先幕ユニット１２から遠ざける方向へ押圧する。凸部１１ａは、シャッタ開口部９ｈ内での後幕ユニット１３の走行に影響を与えないように、後幕スリット形成羽根１３ａがシャッタ開口部９ｈの下端を過ぎてから後幕スリット形成羽根１３ａを押圧する位置に設けられている。凸部１１ａの押圧面は後幕ユニット１３が徐々に押圧されるように光軸方向に対して傾斜しているので、後幕スリット形成羽根１３ａに対するダメージが軽減される。また、凸部１１ａが後幕スリット形成羽根１３ａのみを押圧するように、後幕スリット形成羽根１３ａの長さは他の羽根に比べて長くしている。
【００３２】
シャッタ開口部９ｈの下端を過ぎた後幕スリット形成羽根１３ａは、凸部１１ａにより徐々に押圧され、後幕スリット形成羽根１３ａの先端は光軸方向に沿って変形する。シャッタ地板９には、変形した後幕スリット形成羽根１３ａの先端が退避可能な羽根退避溝９ｇが形成されている。後幕スリット形成羽根１３ａの変形とともに、幕閉じ抑制部材１４は先幕スリット形成羽根１２ａと干渉しない位置に退避する。したがって、本走行完了時には、幕閉じ抑制部材１４と先幕スリット形成羽根１２ａとの干渉状態が解除されている。
【００３３】
干渉状態が解除されると、先幕スリット形成羽根１２ａが幕閉じ抑制部材１４に当接しないので、先幕ユニット１２が戻し走行において後幕ユニット１３よりも先に走行することが可能になる。そのため、シャッタ開口部９ｈを遮蔽した状態で、戻し走行を行うことができる。戻し走行時には、先幕ユニット１２と後幕ユニット１３の幕速が同じになるように駆動することで、幕閉じ抑制部材１４と先幕ユニット１２の羽根との摩擦を軽減し、劣化を防ぐことができる。
【００３４】
次に、高速秒時モードについて説明する。通常、先幕ユニットと後幕ユニットの幕速が同じになるように設定することで、先幕ユニットと後幕ユニットは所定のスリット幅を保つように走行する。しかしながら、この方法ではスリット幅が狭まる方向へ幕速が変化した場合については幕閉じ抑制部材１４によりスリット幅を保つことができるが、スリット幅が広がる方向へ幕速が変化した場合についてはスリット幅を保つことができない。スリット幅が狭まる高速秒時になるほど、この幕速変化の影響は大きくなり、適正な露光量を保てなくなってしまうという問題がある。
【００３５】
本実施例では、制御手段２７によって、先幕モータ１および後幕モータ２がそれぞれ独立して制御されるので、先幕ユニット１２と後幕ユニット１３の幕速を個別に変更可能である。そこで、本実施例のシャッタ装置５０ａを搭載した撮像装置１００では、上記問題を解決するために、後幕ユニット１３の幕速が先幕ユニット１２の幕速より速くなるように駆動させる高速秒時モードを用意する。高速秒時モードで駆動することで、幕閉じ防止部材１４が先幕スリット形成羽根１２ａに当接した状態で走行するため、先幕ユニット１２および後幕ユニット１３は幕閉じ防止部材１４により制限された所定のスリット幅を保ちながら走行することができる。したがって、スリット幅が狭くなる高速秒時の場合においても、正確な露光が可能になる。
【００３６】
なお、本実施例では、モータを駆動源として先幕ユニット１２および後幕ユニット１３を直接駆動しているが、本発明はこれに限定されない。他の駆動方法の場合であっても、先幕ユニットおよび後幕ユニットによりスリットを形成して露光するシャッタ装置であれば、本は津発明の構成により幕閉じを抑制する効果を得ることができる。
【００３７】
また、本実施例では、後幕スリット形成羽根１３ａに幕閉じ抑制部材１４を取り付けているが、いずれか一方のスリット形成羽根に幕閉じ抑制部材１４を取り付けて他方のスリット形成羽根に当接させてもよい。先幕スリット形成羽根１２ａに幕閉じ抑制部材１４を取り付けた場合、戻し走行で幕閉じ抑制部材１４と先幕スリット形成羽根１２ａとの干渉状態を解除する凸部をシャッタ地板９に設ける必要がある。
【実施例２】
【００３８】
図７から図１０を参照して、本実施例のシャッタ装置５０ｂについて説明する。図７から図１０において、実施例１と同一の構成の部材には、同一の符号を付け、それらの説明は省略する。また、本実施例のシャッタ装置５０ｂの基本的な駆動方法については、実施例１と同一である。
【００３９】
まず、図７を参照して、本実施例の幕閉じを抑制する方法について説明する。図７は、シャッタ装置５０ｂの本走行でのスリット形成走行中の状態を示す図であり、カバー板１１側から見た羽根アーム根元付近の拡大図である。羽根室内の先幕ユニット１２と後幕ユニット１３の様子が見えるように、仕切り板１０とカバー板１１を省略している。先幕サブアーム１２ｃには、軸１６を中心として回動可能な幕閉じ抑制レバー（調整部材）１５が取り付けられている。先幕サブアーム軸９ｉには、バネ（付勢手段）１７が取り付けられている。幕閉じ抑制レバー１５は、バネ１７により軸１６を中心として反時計回りの方向へ付勢される。先幕サブアーム軸９ｉは、幕閉じ抑制レバー１５に形成された長孔１５ｃを挿通している。スリット走行形成中は、先幕サブアーム軸９ｉは、長孔１５ｃの上端に押しつけられている。スリット形成走行において先幕サブアーム１２ｃが移動すると、幕閉じ抑制レバー１５は図７に示す位置関係を保ちながら先幕サブアーム軸９ｉを中心として回動する。後幕サブアーム１３ｃには、スリット幅が所定量より狭くなった場合、幕閉じ抑制レバー１５のダボ部（第１の当接部）１５ａと当接する当接領域（第１の当接領域）１３ｃａが形成されている。よって、スリット幅が所定量より狭くなった場合でも、ダボ部１５ａと当接領域１３ｃａが当接することで、寸法により決められた最小限のスリット幅が保障され、幕閉じが発生することはない。
【００４０】
次に、図８から図１０を参照して、幕閉じ抑制レバー１５を作動させ、戻し走行中の遮光状態を作る方法と、戻し走行完了位置で幕閉じ抑制が可能な状態に戻す方法について説明する。実施例１で説明したように、コマ速を速くするために、シャッタ開口部９ｈを遮蔽した状態で先幕ユニット１２および後幕ユニット１３を走行させる必要がある。
【００４１】
図８は、先幕スリット形成羽根１２ａがシャッタ開口部９ｈの下端を通過する時点の状態を示す図であり、カバー板１１側から見た羽根アーム根元付近の拡大図である。カバー板１１には、先幕スリット形成羽根１２ａがシャッタ開口部９ｈの下端を通過するタイミングで幕閉じ抑制レバー１５のダボ部（第２の当接部）１５ｂと当接するように、溝部１１ｂが形成されている。先幕ユニット１２は、ダボ部１５ｂが溝部１１ｂに当接した状態で、図９に示される本走行完了位置まで移動する。
【００４２】
図９は、シャッタ装置５０ｂの本走行完了位置の状態を示す図であり、カバー板１１側から見た羽根アーム根元付近の拡大図である。羽根室内の先幕ユニット１２と後幕ユニット１３の様子が見えるように、仕切り板１０とカバー板１１を省略している。幕閉じ抑制レバー１５は、カバー板１１ｂから力を受け、軸１６を中心に時計回りに回動する。回転した幕閉じ抑制レバー１５のダボ部１５ａは、後幕サブアーム１３ｃに形成された当接領域（第２の当接領域）１３ｃｂと当接する。このとき、先幕サブアーム１２ｃと後幕サブアーム１３ｃは図７のスリット形成走行中の状態と比べて接近し、スリット幅が幕閉じ状態となる。そのため、戻し走行においては、先幕ユニット１２を先に駆動し、ダボ部１５ａを後幕サブアーム１３ｃに押付けながら走行することで、シャッタ開口部９ｈを遮蔽した状態を保つことが可能となる。
【００４３】
図１０は、シャッタ装置５０ｂの戻し走行完了位置の羽根室内の状態を示す図であり、カバー板１１側から見た羽根アーム根元付近の拡大図となっている。羽根室内の先幕ユニット１２と後幕ユニット１３の様子が見えるように、仕切り板１０とカバー板１１を省略している。ダボ部１５ｂが溝部１１ｂにより移動を制限されると、先幕サブアーム軸９ｉが長孔１５ｃの上端に当接するまで移動する。このとき、先幕サブアーム１２ｃと後幕サブアーム１３ｃの間隔が所定量以上になり、幕閉じ抑制レバー１５はバネ１７により反時計回りに付勢されているため軸１６を中心に回転する。このようにして、幕閉じ抑制レバー１５と後幕サブアーム１３ｃを幕閉じを抑制可能な状態に戻すことができる。
【００４４】
以上、本発明の好ましい実施形態について説明したが、本発明はこれらの実施形態に限定されず、その要旨の範囲内で種々の変形及び変更が可能である。
【符号の説明】
【００４５】
９      シャッタ地板
９ｈ    シャッタ開口部（開口部）
１１ａ  凸部（解除部材）
１２    先幕ユニット（第１のシャッタ羽根）
１３    後幕ユニット（第２のシャッタ羽根）
１４    幕閉じ抑制部材（制限部材）
１５    幕閉じ抑制部材(制限部材、解除部材)
５０    シャッタ装置
【図１】
2017026699.tif 000003
【図２】
2017026699.tif 000004
【図３】
2017026699.tif 000005
【図４】
2017026699.tif 000006
【図５】
2017026699.tif 000007
【図６】
2017026699.tif 000008
【図７】
2017026699.tif 000009
【図８】
2017026699.tif 000010
【図９】
2017026699.tif 000011
【図１０】
2017026699.tif 000012